(57)【要約】      （修正有）【課題】回転運動を直線運動に変換して、物体を移動させる。【解決手段】回転体１を手動又は動力により回転軸２を中心に自転させると、回転軸２に平行な加圧棒４が受け部５に当接して、加圧棒４を支点として回転軸２は公転し、長穴８内を上昇しながら、転輪６を有する系９を連結ばね１０に抗して受け部５方向に引き寄せる。回転軸２が長穴８の頂点まで上昇すると、すなわち加圧棒４に対し９０度回転すると、加圧棒４は受け部５から外れて落下し、連結ばね１０により受け部５は転輪６により前進する。この繰り返しにより、全体が移動する。【選択図】図１
2005308218.tif 000002
【特許請求の範囲】
【請求項１】
自転している、あるいは自転要素を有する回転体あるいは回転体を含む系の、回転体による移動において、自転している回転体の、逆行することのない、主として加力に対して逆回転部位に加力して、加力位置を仮の支点として自転を公転に変換して、進行方向に対して、進行方向と異なる、主として直角方向に加力して、初期に縦方法の成分が多く、最終横成分の進行となり、生じた反作用を、蹴らずに地面等を押さえ付けて移動する回転体による物体の角度変換移動方法２。
【請求項２】
自転している、あるいは自転要素を有する回転体あるいは回転体を含む系の、回転体による移動において、自転している回転体の、逆行することのない、主として加力に対して逆回転部位に加力して、加力位置を仮の支点として自転を公転に変換して進行方向と逆の反作用を生じて、初期に進行方向の成分が多く、最終下向きの進行成分を得、次に進行方向に対して、進行方向と異なる、主として直角方向に加力して、初期に縦方法の成分が多く、最終横成分の進行となり、生じた反作用を、蹴らずに地面等を押さえ付けて移動する請求項１および請求項２の回転体による物体の角度変換移動方法２。
【請求項３】
自転している、あるいは自転要素を有する回転体あるいは回転体を含む系の、回転体による移動において、互いに逆回転している回転体の、主として加力に対して逆回転部位の、進行方向に対して、主として直角方向に加力して、加力部位を仮の支点として、自転を公転に変換して、生じた反作用を互いに相殺して、回転体あるいは回転体の属する系の進行を得る請求項１および請求項２および請求項３の回転体による物体の角度変換移動方法２。
【請求項４】
自転している、あるいは自転要素を有する回転体あるいは回転体を含む系の、回転体による移動において、自転している回転体の、公転により逆行することのない、主として回転軸を要とした扇状をなす加力に対して逆回転部位の、進行方向に対する加力の左限部位、あるいは右限部位のいずれかに加力し、あるいは交互に加力し、あるいは左右限内部の適宜位置に加力して、回転体、あるいは回転体の属する系を進行する請求項１および請求項２および請求項３および請求項４の回転体による物体の角度変換移動方法２。
【発明の詳細な説明】
【技術分野】
【０００１】  独楽、タイヤ等回転体を観ることで、見かけ上反作用のない、未確認飛行物体の移動原理を解明することにより、次代の産業革命の基礎となる、回転体により、回転体、あるいは回転体の属する系を動かす、回転体による物体の角度変換移動方法２に関するものである。
【背景技術】
【０００２】  物体を動かすには、移動に応じた反作用を、地面等、受けるものがなければ、動かないものとされてきた。【特許文献１】特願平３−４６７９７
【非特許文献１】大原出版  高校教科書  新物理
【発明の開示】
【発明が解決しようとする課題】
【０００３】  地上における、またその延長を持ち込んだ宇宙等無重量域における物体の移動は、すべて無回転部分へ力を加える、移動に匹敵する反作用を、地面等で受けて成り立ち、物体自体が移動することは、あり得ないものとされて、移動するに必要なものとして、水、道路、空気、爆発物等が反作用に不可欠のものとされてきた。
【発明の開示】
【課題を解決するための手段】
【０００４】  回転体を介することにより、移動するに際して、移動に応じた地面等を蹴って進むものでなく、その反作用を、主として直角方向に表し、あるいは対の回転体を介することにより、互いの反作用を相殺して移動する角度変換による移動方法であり、その力を加える（以下加力と称す）方法、加力位置等、その効率的な移動方法を得ようとするものである。
【発明の効果】
【０００５】  物体の移動に際して、最新のリニアモーターカー等においても、地面に磁力帯を敷設してしか成り立たない。  従来は必須である地面等の反作用の対象を、本発明では単に押さえるか、あるいは全く必要としなくなるものである。
【発明を実施するための最良の形態】
【０００６】  すなわち、回転体への加力により発生する力の成分は、二種類の直角成分の合力として表れ  単体あるいは対あるいは対以上の回転体（以下対あるいは対以上の回転体を、対の回転体と称す）による場合は、加力による反作用は相殺されるから、その範囲内で進行方向の成分が最大の位置を見いだすものである。  これを説明するに、円形の回転体において回転方向に対して逆回転方向は、進行方向に対して半円である【０００７】  しかして、逆行要素がなく、主として、当該半円の右下半分に、主として、逆回転方向に垂直に加力すると表れる力（以下出力と称す）は、加力部位を仮の支点として、回転体か回転する、すなわち自転より公転に変換する。
【実施例１】
【０００８】
【図１】
から、回転体１を手動あるいは動力で回転させると、回転軸２を中心に自転する。いま矢印３の方向へ自転させると、加力棒４は受け部５により、加力を受けて、その反作用を下端に設けた転がり輪６を通じて床面７に大略垂直に伝える、と同時に今まで自転していた回転体１の回転軸２は、加力棒４を仮の支点として公転を始めて、長穴８内を上昇しながら、転がり輪６を有する系９を頂点すなわち９０度まで上昇しながら、受け部５方向へ引き寄せて、加力棒４は受け部５をはずれて落下して、回転体１は長穴８の下端に戻り、自転する
【０００９】その間に連結ばね１０により、受け部５は、転がり輪６により、元の位置に復帰するもので、この繰り返しにより進行する、回転体による角度変換移動方法２である。  すなわち、回転体は自転を加力棒による加力を、受け部を仮の支点として公転に変換して、その反作用を床面を蹴る事なく、直角に押さえ付けて伝えるもので、回転体および系の移動の反作用は後ろ向きに表れない。
【実施例２】
【００１０】
【図２】
より、矢印３で表すように、互いに逆転して自転している回転体１、１の回転軸２、２は軸受け部１１と復帰バネ１２により、基点でそれぞれ自転している。  今加力棒４、４のそれぞれが受け部５に両側より加力されることにより、互いの反作用を相殺しながら、回転体１、１どうしは、復帰バネ１２に抗しながら、回転軸２、２は軸受け部１１をそれぞれが離れながら、系９を、受け部５方向へと進み、頂点を越えて加力棒４、４は、復帰バネ１２により自転位置へ復帰して自転するとともに連結ばね１０により受け部５も復帰する回転体による角度変換移動方法２である。  この場合、重力の作用がないので復帰バネ１２で復帰するものである。
【００１１】  上記のことより、重心の横移動すなわち公転移動は、自動車等の車輪等回転体の移動にては横移動ではなく、重力により、地面に押し付けられて沿って移動している。  すなわち車軸により回転体を通して地面に伝えられた横方向（接線方向）に加えられた力により  その場が摩擦により動かないために  次の場へ移るとき、接地面では接地面を仮の支点として、回転体（車輪）が回転、すなわち公転している。  仮の支点から観れば、軸芯では横成分は１００％で縦成分はゼロ％の、加力の頂点で回転が始まり、その繰り返しの連続で、もし摩擦が壊れないと仮定して、同じ位置で横に、すなわち進行方向に平行に加力すれば、次第に経時的に下向きの直角成分が増える。
【００１２】  すなわち、加力位置を重心が越えるもので、独楽等の停止時の沈み込み現象で表れる。、  また、微分状態では  重力は垂直であるから、重心の横方向の移動は、横方向に動くのではなく、前記事項により、回転の二成分により接地面を仮の支点として軸芯はタイヤの円周方向で大略４５度下方にかかり、初期に横方向、最終真下方向となる。  しかし、タイヤの接地面が連続していれば、連続して支点が表れて、この現象が連続して発生するために  公転して次の接地面へと移動する連続で、移動するものである。  したがってタイヤ等は回転しても  接地面が仮の回転軸の連続となって公転するから接するタイヤ等の接地面は動くことなく  地面に沿って動かない点あるいは面が連続する  すなわち  回転する自転が、摩擦等の逆の横方向の耐性と重力による下向きの力に抗する地面により、本来点であれば、最終下向きの公転となるものが連続して、自転が公転に変換して沿って移動するものである。  無重量状態では、水平に重心を押して加力すれば地上同様  作用反作用の動きとなるが、接地面で加力すれば、接地面を仮の支点とした公転要素のみとなり、重力の要素はない。  すなわち、地上と宇宙等無重量状態では、地面のために、見かけ上位相が９０度ずれて表れる。
【００１３】  機能する回転体が単体の場合回転体を進行させるには、地上では地面のために、加力により下向きの進行方向となるべきものが、初期状態の連続となって、水平な移動となり、加力の反作用が水平に表れるもので、無重量状態で同じ進行方向を得ることはできない。  無重量状態で同じ進行方向を得るためには。地上と同様に水平に加力して下向きの公転とするか、あるいは加力位置を９０度ずらして、円周の、初期に縦方向となり、最終横方向となるいずれか、あるいはそれぞれを交互に繰り返すかによる公転であり、電子等回転体が小さいほど、あるいは繰り返しが多いほど見かけ上直線となる。  回転体の回転の接線方向に加えられる力のうち  主として逆回転方向の内径を含む接線位置に加力することにより  回転体は加力した位置を仮の支点として回転方向に公転要素を含んで回転体が公転する。
【００１４】  回転体を自転の回転軸から観れば  円弧を描いて移動するから  初期には加力方向に、次第に横成分が増える  したがって  加力位置が水平より約４５度下て、ほぼ二成分が等しく、横成分が次第に多くなる  地上、無重量状態いずれの場合も、回転軸が仮の支点を越える、大略９０度で慣性の方向となり  次の繰り返しの限界  あるいは  繰り返しの出発点となる  しかして表れる成分は  縦横の二成分の合力であるから  縦方向の成分をばね等で相殺してやれば  回転体は加力位置の方向  すなわち横方向へ動くもので、相殺しなければ回転体は、円周方向、すなわち約４５度方向に進む
【００１５】  無重量状態の宇宙等においては  質量の移動のみであるから  回転体に対して  重力に匹敵する縦方向の成分はないので  逆回転方向加力成分のみとすれば  進行方向への加力は、回転体に対して  加力点を仮の回転軸として垂直成分で始まり  水平成分で終わり、あるいは位相を９０度手前にずらして、水平成分で始まり、下方成分で終わるいずれかであり、後者の場合は、加力の方向は地上と同一で、その反作用も同一となり、地上と同じ進行方向と反対の反作用となるために、反作用の相殺が不可能となり、地上と同様の反作用の弊害が生じる。  このことは、互いに逆回転している回転体の、主として加力に対して逆回転部位の、進行方向に対して、主として直角方向に加力して、加力部位を仮の支点として、自転を公転に変換して、生じた反作用を互いに相殺して、回転体あるいは回転体の属する系の進行を得る。
【００１６】  すなわち、時計回りの回転体の上下左右を想定して、回転体が円形とすれば、加力位置を真下の接線方向にとって、円周方向である約４５度下向きに公転し、水平な右にとって、約４５度上向きの公転となり、いずれも加力点の右半円、あるいは上半円が逆行成分のない加力位置となり得て、両者の重なる右下半円部位が適する。  加力により発生する直角方向の反作用を、対の回転体の場合は反作用を互いに相殺してその合力のみで成り立ち  進行を得るものである。  したがって対の回転体の水平な接線への真上への加力は、互いに逆転する回転体に逆方向の、すなわち互いに逆の真上へあるいは真下への加力の反作用を相殺して、単体の場合のように円弧をなさず、互いに相殺されて真横になる。  単体であれば、回転体は円弧を繰り返して進み、反作用を地面等で、主として直角に受けて進行する。
【００１７】  これは  重力のある地上では主として水平に加力して成り立つものが  宇宙では  初期状態の連続ができる重力がなく  受ける道路等の反作用分がないために  互いに逆回転する回転体により  反作用を相殺するもので  相殺できる範囲で  加力による  偏芯による回転体の回転位置  すなわち効率のよい位置を取れぱよい  回転体あるいは回転体を含む系の回転体による移動において、従来の作用反作用と等しく、進行方向に  自転している回転体の、主として逆回転部位の、進行方向に加力して、進行方向と逆の反作用を生じて回転体の進行を得るのではなく、進行方向に対して、進行方向と異なる、主として直角方向に加力して、生じた反作用を、地面等で吸収し、あるいは互いに逆回転している回転体の、主として逆回転部位の、進行方向に対して、主として直角方向に加力して、生じた反作用を互いに相殺して、回転体の自転を公転に変換して進行を得るものである。
【００１８】  自転している、あるいは自転要素を有する回転体あるいは回転体を含む系の、回転体による移動において、自転している回転体の、公転により逆行することのない、主として回転軸を要とした扇状をなす加力に対して逆回転部位の、進行方向に対する加力の左限部位、あるいは右限部位のいずれかに加力し、あるいは交互に加力し、あるいは左右限内部の適宜位置に加力して、回転体、あるいは回転体の属する系を進行するもので、加力の方向は水平あるいは垂直の、主として接線方向となる。
【００１９】  すなわち  進行方向を基準として  進行方向に回転する回転体の  正転逆転いずれの場合も、逆回転する主として右下半分、あるいは逆転の場合は主として右上半分の扇状部分のいずれかを加力点として  上あるいは下に平行に加力することにより  回転体は加力点を仮の支点として公転して反作用を相殺して、直角方向へ進行するものである。  地上では常識である作用反作用の直進の環境が、無重量状態で  回転体を主体とした宇宙においては  回転体の自転から公転への変換の初期状態の連続でなる地上の回転体の移動は特殊な例となる
【００２０】  この視点より  これを逆に  地上に応用すれば  単体では  地面等を押すだけであるから、あるいは対の回転体を問わず、  スクリュウや舵のない船舶、翼体に回転体を組み込んで揚力あるいは推力の大きい翼状体、雪道等における滑り現象の発生は少なくなる等、また対の回転体の場合は地面  気象  環境等との関係はなくなるから  出力の許す限りの安全策が採れる  いずれの場合も単体、あるいは対の回転体を在来の諸機関に組み入れて活用できる。  いかなる場合も慣性の存在のために  移動密度の上昇とともに衝突等の事故の頻度は増すが  回転体による移動においては  移動の主体である回転体の自転の向きを変えずに加力位置の変更により、瞬時に前進後退の方向が変えられ  あるいは直角方向に回転する回転体を組み合わせて  加力点を変えることにより、進行方向に対して左右に動いて  衝突等の危険の頻度は下がる
【００２１】  また９０度移動の場合、加力点が三点なら１２０度づつの間隔が採れるから９０度を加力間隔として  残りの４５度を重心移動の復帰間隔とする等複数の加力点を設けてよりなだらかな出力を得られる。  すなわち  道路等の反作用の対象に公転にて生じる反作用を受けてもらう事なく、自転している、あるいは自転要素を有する回転体あるいは回転体を含む系の、回転体による移動において、自転している回転体の、逆行することのない、主として加力に対して逆回転部位に加力して、加力位置を仮の支点として自転を公転に変換して進行方向と逆の反作用を生じて、初期に進行方向の成分が多く、最終下向きの進行成分を得、次に進行方向に対して、進行方向と異なる、主として直角方向に加力して、初期に縦方法の成分が多く、最終横成分の進行となり、生じた反作用を、蹴らずに地面等を押さえ付けて移動するもので、対の回転体の場合は横移動であるが、機能する回転体が単体の場合は、加力位置を９０度内でずらして、円周方向、すなわち約４５度上行下行、すなわちジグザグ進行となる。
【００２２】  あるいは進行方向に対して  水平より４５度下を加力点として回転させれば  進行方向に対して４５度位置からのスタートとなって縦横方向の比率が約半々の比率から始まって  移動距離は短いが、順次横方向の比率が大きくなるために、単体の並列、あるいはばね等により相殺して平滑を得る。  本例示では、機械的に基本を示しているが、これを電磁力を用いてより簡便になり、また水平移動のみを説明しているが回転体の地面等対象との角度を変えることにより、上昇下降、また加力位置を変えて瞬時の方向転換が可能なことは論をまたない。
【産業上の利用可能性】
【００２３】  上記のように、効率的な回転体の横進行の成分の取り出しにより、力の効率が上がり、利用範囲がより大きくなる  また回転体への加力は、進行方向に対して主として直角であるので従来の作用反作用に比べて、進行方向に対して加力が逆向きとならず、速度の累積が可能となり、かつ逆向きでないために、速度の限界が延びる。【００２４】  回転体であるから、円周の回転速度は大きく、軸近くの回転速度は遅いので、加力位置により加力エネルギーを無駄なく使用でき、また加力点を線にすることにより、順回転方向への加力も可能となり、自転時の加速、あるいは自転時より大きな加力を要する公転が、よりスムーズとなった進行が得られる。  次代のために、衆知を集めるに値する方法の発見である。
【図面の簡単な説明】
【００２５】
【図１】回転体の単体の概念図。
【図２】対の回転体の概念図。
【符号の説明】
【００２６】      １    回転体      ２    回転軸      ３    矢印      ４    加力棒      ５    受け部      ６    転がり輪      ７    床面      ８    長穴      ９    系      １０  連結ばね      １１  軸受け部      １２  復帰バネ
【図１】
2005308218.tif 000003
【図２】
2005308218.tif 000004